(57)【要約】【課題】一種の太陽エネルギー電気供給システムとその応用構成の提供。【解決手段】該電気供給システムは主に入力単元、制御ブロック及び格納単元より構成する。該入力単元は太陽エネルギーを取り込み、制御ブロックより該太陽エネルギーを格納単元に格納し、利用者は携帯式情報処理装置又はその他携帯式装置を使用するときは、該電気供給システムより電気を提供し、前記装置（製品）の稼働時間を無限に延長できる。【選択図】図１
2009523318.tif 000002
【特許請求の範囲】
【請求項１】
太陽エネルギーを取込み、直流電気エネルギーに変換し、該太陽エネルギー電気供給システムは、
入力単元は、可とう性ソーラーパネルに接続して、該太陽エネルギーを取り込み、
制御ブロックは、該入力単元に接続し、該太陽エネルギー電気を該直流電気エネルギーに変換して、該直流電気エネルギーを特定値に調節し、
格納単元は、該制御ブロックに接続し、該直流電気エネルギーを格納し、
出力単元は、該制御ブロックに接続し、該出力単元より該直流電気エネルギーを携帯式装置に出力を含めることを特徴とする一種の携帯式太陽エネルギー電気供給システム。
【請求項２】
該出力単元はさらに一種以上の出力単元を含め、該直流電気エネルギーを出力することを特徴とする請求項１記載の携帯式太陽エネルギー電気供給システム。
【請求項３】
該入力単元はさらに直流電気エネルギー入力インターフェースを含め、外部の直流電気エネルギーを取り込むことを特徴とする請求項１記載の携帯式太陽エネルギー電気供給システム。
【請求項４】
該制御ブロックはさらに、
充電制御単元は、該入力単元に接続し、該格納単元への充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力することを特徴とする請求項１記載の携帯式太陽エネルギー電気供給システム。
【請求項５】
該格納単元はさらに充電池を備え、該直流電気エネルギーを格納することを特徴とする請求項１記載の携帯式太陽エネルギー電気供給システム。
【請求項６】
少なくとも一種の機能機構、該携帯式情報処理装置の各種機能を形成し、
太陽エネルギー電気供給システムは、太陽光源を取込み、直流電気エネルギーに変換し、該太陽エネルギー電気供給システムはさらに、
少なくとも一組のソーラーパネルを含め、該ソーラーパネルは可とう性ソーラーパネルであり、該太陽エネルギーを取込み、太陽エネルギー電気に変換し、
電気供給システムは、さらに、
入力単元は、該ソーラーパネルに接続し、該太陽エネルギー電気を伝送し、
制御ブロックは、該入力単元に接続し、該太陽エネルギー電気を該直流電気エネルギーに変換して、該直流電気エネルギーを特定値に調節し、
格納単元は、該制御ブロックに接続し、該直流電気エネルギーを格納して、該直流電気エネルギーを該機能機構に伝送し、
表示単元は、太陽エネルギー電気供給システムの稼働状態を表示し、
そのうち、該制御ブロックはさらに、
充電制御単元は、該入力単元に接続し、該格納単元への充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力を含めることを特徴とする一種の携帯式太陽エネルギー電気供給システムによる携帯式情報処理装置。
【請求項７】
該電気供給システムはさらに出力単元を含め、該出力単元は該制御ブロックに接続し、該直流電気エネルギーを該携帯式情報処理装置に伝送することを特徴とする請求項６記載の携帯式太陽エネルギー電気供給システムの携帯式情報処理装置。
【請求項８】
該出力単元はさらに電気伝送機能のデータ伝送インターフェースを含めることを特徴とする請求項7記載の携帯式太陽エネルギー電気供給システムの携帯式情報処理装置。
【請求項９】
該格納単元はさらに充電池を有し、該直流電気エネルギーを格納することを特徴とする請求項６記載の携帯式太陽エネルギー電気供給システムの携帯式情報処理装置。
【請求項１０】
該携帯式情報処理装置は携帯電話機、携帯端末機（ＰＤＡ）、マルチメディアプレイヤ（ＰＭＰ）、ノートパソコン、ハンドヘルドゲーム装置、の携帯装置関連のいずれであることを特徴とする請求項６記載の携帯式太陽エネルギー電気供給システムの携帯式情報処理装置。
【請求項１１】
加熱機能は、熱源を形成し該携帯式装置を所定の温度に維持し、
太陽エネルギー電気供給システムは、太陽光源を取込み、直流電気エネルギーに変換し、該太陽エネルギー電気供給システムはさらに、
少なくとも一組のソーラーパネルを含め、該ソーラーパネルは可とう性ソーラーパネルであり、該太陽エネルギーを取込み、太陽エネルギー電気に変換し、
電気供給システムは、さらに、
入力単元は、該ソーラーパネルに接続し、該太陽エネルギー電気を伝送し、
制御ブロックは、該入力単元に接続し、該太陽エネルギー電気を該直流電気エネルギーに変換して、該直流電気エネルギーを特定値に調節し、
格納単元は、該制御ブロックに接続し、該直流電気エネルギーを格納して、該直流電気エネルギーを該加熱機構に伝送し、
そのうち、該制御ブロックはさらに、
充電制御単元は、該入力単元に接続し、該格納単元への充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力を含めることを特徴とする一種の太陽エネルギー電気供給システムの携帯式装置。
【請求項１２】
該電気供給システムはさらに出力単元を含め、該出力単元は該制御ブロックに接続し、該直流電気エネルギーを該携帯式情報処理装置に伝送することを特徴とする請求項１１記載の携帯式太陽エネルギー電気供給システムの携帯式装置。
【請求項１３】
該出力単元はさらに電気伝送機能のデータ伝送インターフェースを含めることを特徴とする請求項１２記載の携帯式太陽エネルギー電気供給システムの携帯式装置。
【請求項１４】
該格納単元はさらに充電池を備え、該電源を格納することを特徴とする請求項１１記載の携帯式太陽エネルギー電気供給システムの携帯式装置。
【請求項１５】
該携帯式装置はジャケット、衣服、ズボン、チョッキ、ベスト、関連種類製品のいずれであることを特徴とする請求項１１記載の携帯式太陽エネルギー電気供給システムの携帯式装置。
【発明の詳細な説明】
【技術分野】
【０００１】
本発明は一種の電気供給システム、特に一種の太陽エネルギーを取込み電気に変換し太陽エネルギー電気供給システムとして、各種の携帯式情報処理装置又は各種携帯装置への応用に係わるものである。
【背景技術】
【０００２】
科学が絶えずに進歩したハイテクの世界では、各種の新しい科学技術製品が人類生活により便利をもたらす。しかしながら、資源を絶えずに取り出す中に、各種エネルギーの消費を加速化している。各種の従来資源（石油、石炭）の枯渇、エネルギー不足と相まって、環境汚染もますますひどくなってくる。斬新なエネルギー生成と環境保護をかねた課題は、人類の一致した追求目標である。
【０００３】
太陽エネルギーは前記した要求に応えることができ、かつ、自然の電磁波であるため、化学的汚染（二酸化炭素、一酸化炭素、二酸化硫黄、窒素酸化物とじん粒子など）がない。さらに、放射性がなく、放射性物質も発生しない。また、太陽エネルギーもう一つの特長は熱公害（Ｔｈｅｒｍａｌ  Ｐｏｌｌｕｔｉｏｎ）がない、かつ、枯渇することなく常に取得できる。
【０００４】
いままでの太陽エネルギー応用の発展を見ますと、放射量が薄く、収集使用が難しい課題が残されている。しかし、科学技術が絶えずに進歩することによって、現在は太陽集熱器（Ｃｏｌｌｅｃｔｏｒ） （ソーラーパネル）によって克服できた。一方、太陽エネルギーの間欠性（すなわち、昼夜晴陰によるムラ）の課題について、蓄熱装置（Ｔｈｅｒｍａｌ  Ｅｎｅｒｇｙ  Ｓｔｏｒａｇｅ） （電池による蓄電機構）で克服されている。このため、現在の太陽エネルギー応用技術は成熟しつつあり、その応用範囲も極めて広い。
【発明の開示】
【発明が解決しようとする課題】
【０００５】
科学技術の発展により、太陽エネルギーの世代を早く訪れたが、現在の太陽エネルギーシステム応用はまだ各種の携帯装置に普及していない。そのため、多くの携帯装置は従来技術の電気供給方式に依存されているが、電気供給と補充がやっかいな問題である。よって、さらなるの応用ならびに太陽エネルギー電気供給システムの改良は、研究価値を有する技術課題である。
【課題を解決するための手段】
【０００６】
そのため、公知技術による太陽エネルギーシステムの携帯不便欠が改善され、多種の携帯装置に接続でき、携帯装置に電気をサポートできる。該電気供給システムは主に入力単元、制御ブロック及び格納単元より構成する。該入力単元は太陽エネルギーを取込むとき、制御ブロックにより、太陽エネルギーを格納単元に格納して置き、利用者は携帯式情報処理装置又はその他携帯式装置を使用するときに、該電気供給システムから作業に必要な電気を提供し、前記装置（製品）の稼働時間を限りなく延長することを図る、一種の斬新構造による太陽エネルギー電気供給システムとその応用構成を提供することを本発明の主な目的とする。
【０００７】
直流電源入力端及び各直流電気エネルギーＤＣ出力インターフェースを設けることによって、太陽エネルギーを直流電気エネルギーＤＣと交代に使用でき、携帯式製品使用の利便性の向上を図る、一種の携帯式太陽エネルギー電気供給システムとその構成を提供することを本考案次の目的とする。
【０００８】
本発明の目的と技術解決は以下の手段による。本発明による携帯式太陽エネルギー電気供給システムは、太陽エネルギーを受け入れて、直流電気エネルギーを特定値に変換する。該太陽エネルギー電気供給システムは主に、入力単元は、可とう性ソーラーパネルに接続し、該太陽エネルギーを取込む。制御ブロックは該入力単元に接続し、該太陽エネルギーを該直流電気エネルギーに変換し、該直流電気エネルギーを所定値に調節する。格納単元を該制御ブロックに接続して、該直流電気エネルギーを格納する。出力単元は該制御ブロックに接続して、該直流電気エネルギーを携帯式装置に出力する。該制御ブロックはさらに、充電制御単元は、該入力単元に接続し、該直流電気エネルギーから該格納単元への充電を制御する。過放電制御単元は、該格納単元に接続し、該過放電制御単元は該直流電気エネルギーが所定の安全値を下回るときに、該格納単元の放電を中止させる。変圧単元は、該過放電制御単元に接続し、該直流電気エネルギーを所定値に調節した後、該出力単元に出力する。
【発明の効果】
【０００９】
前記の技術手段により、本発明による携帯式太陽エネルギー電気供給システムとその構成は、少なくとも以下の長所を有する。
【００１０】
（イ）公知技術による太陽エネルギーシステム携帯不便の欠点を改善し、多種の携帯装置と接続でき、携帯製品の電気をサポートできる。該電気供給システムは主に入力単元、制御ブロック及び格納単元より構成する。該入力単元は太陽エネルギーを取込み、内蔵の制御ブロックにより、太陽エネルギーを格納単元に格納して置き、利用者は携帯式情報処理装置又はその他携帯式装置を使用するとき、該電気供給システムより作業の必要電気を提供し、前記装置（製品）の稼働時間を無限に延長することができする。
【００１１】
（ロ）直流電源入力端及び各直流電気エネルギーＤＣの出力コネクタを設けることによって、太陽エネルギーと直流電気エネルギーとを交代に使用し、携帯式装置使用の利便性を向上できる。
【００１２】
前記の説明から明らかに、本発明による特殊構成の太陽エネルギー電気供給システムとその応用構成は、前記種々の長所と実用価値を有するほか、同種製品に類似構成の設計も開示又は使用されていない。製品構成又は機能面とも、大きく改善されているのみならず、技術面も大幅な進歩から、使い勝手と実用効果を形成し、既存の太陽エネルギー電気供給システムに比べて多くの効果が追加され、実用により適した、斬新、進歩、実用的の設計である。
【発明を実施するための最良の形態】
【００１３】
本発明の詳細並びに技術は、図式と併せて、以下の通り詳細説明する。
【００１４】
［実施例１］
本発明による携帯式太陽エネルギー電気供給システムはさらに、該太陽エネルギー電気供給システム応用の各種構成を含める。図１に本発明による携帯式太陽エネルギー電気供給システムの立体概略図を示す。
【００１５】
本発明の携帯式太陽エネルギー電気供給システムによる電気供給システム１０は、設計者の目的により、立体形に設計しても良い。外部に太陽エネルギー入力コネクタ１１１と直流電気エネルギー入力コネクタ１１２をそれぞれ設ける。前記二つの入力コネクタは太陽エネルギー又は外部の直流電気エネルギーＤＣを取り入れてシステムの使用に備える。電気供給システム１０外部にユニーバーサールシリアルポート出力インターフェース１２１と直流電気エネルギー出力インターフェース１２２を設け、前記二つの出力インターフェースは、直流電気エネルギーＤＣを電気供給システム１０外部に伝送する。表示単元１３は電気供給システム１０の稼働状態（充電、電気供給、又は電力低下などの状態）を表示する。
【００１６】
引き続きに、本発明による電気回路構成の詳細を説明する。図２に本発明の携帯式太陽エネルギー電気供給システムによる電気回路概略図を示す。
【００１７】
本発明の携帯式太陽エネルギー電気供給システムによる電気供給システム１０は入力単元１１、出力単元１２、表示単元１３、制御ブロック１４及び格納単元１５を含める。そのうち、入力単元１１は外部にソーラーパネルと接続し、太陽エネルギーを取り入れる。制御ブロック１４は入力単元１１に接続し、該太陽エネルギーを直流電気エネルギーＤＣに変換し、該直流電気エネルギーを所定値に調節（電圧調整）した上、格納単元１５への充電を行う。このため、該格納単元１５は充電池により、該直流電気エネルギーＤＣを格納して置く、利用者は電気を使用のとき、直流電気エネルギーＤＣをシステムに伝送する。表示単元１３は制御ブロック１４に接続し、電気供給システム１０の稼働状態（充電、電気供給、又は電力低下などの状態）を表示する。出力単元１２は、直流電気エネルギーＤＣを電気供給システム１０外部に出力する。
【００１８】
図３Ａに本発明の携帯式太陽エネルギー電気供給システムによる入力単元の概略図を示す。
【００１９】
本発明による電気供給システム１０の入力単元１１はさらに、太陽エネルギー入力コネクタ１１１と直流電源出力コネクタ１１２を含め、太陽エネルギー入力コネクタ１１１はソーラーパネル２０に接続し該ソーラーパネル２０は可とう性ソーラーパネルであり、該可とう性ソーラーパネルは、一定の弾性のほか、軽小短薄、接続簡単の特長を有し、携帯式システムの需要を満足できる。一方、直流電気エネルギー入力コネクタ１１２は、外部の直流電気エネルギーＤＣに接続し、システムの使用に提供するか、又は電気供給システム１０に充電することができる。
【００２０】
図３Ｂに本発明の携帯式太陽エネルギー電気供給システムによる出力単元の概略図を示す。
【００２１】
本発明による電気供給システム１０の出力単元１２に、電気伝送機能を有するデータ伝送インターフェースを設けても良い。該インターフェースは各種の接続インターフェース（ユニーバーサールシリアルバス（Ｕｎｉｖｅｒｓａｌ  Ｓｅｒｉａｌ  Ｂｕｓ，  ＵＳＢ）インターフェース、ファイヤーワイヤー（Ｆｉｒｅｗｉｒｅ）インターフェースなど）を設けて、各種の携帯式装置３０に接続する。本実施例において、ユニーバーサールシリアルポート出力インターフェース１２１と直流出力インターフェース１２２より実施する。そのうち、シリアルポート出力インターフェース１２１は情報処理システム３１に接続し、直流電気エネルギー出力インターフェース１２２は一般の電源コネクタを設け、汎用の携帯式電器装置３２に接続する。
【００２２】
図３Ｃに本発明の携帯式太陽エネルギー電気供給システムによる制御ブロックの概略図を示す。
【００２３】
該制御ブロック１４に充電制御単元１４１（Ｃｈａｒｇｅ  Ｃｏｎｔｒｏｌｌｅｒ）、過放電制御単元１４２（Ｏｖｅｒ  ｄｉｓｃｈａｒｇｅ  Ｃｏｎｔｒｏｌｌｅｒ）及び変圧単元１４３ （ＤＣ−ＤＣ  Ｃｏｎｖｅｒｔｅｒ）を設ける。そのうち、該充電制御単元１４１は直流電気エネルギーＤＣを制御し格納単元１５への充電を行う。過放電制御単元１４２は直流電気エネルギーＤＣが所定の安全値を下回るとき、格納単元１５の放電を中止し、格納単元１５を保護する。変圧単元１４３は直流電気エネルギーを所定値に調節して出力し、電圧調整効果を形成する。制御ブロック１４はさらに、フィルタ装置を設け、サージ波を吸収して、該格納単元１５を電源切換えからのサージ波による破損を防止する。
【００２４】
続いて、本発明による応用構成の一実施例に基づいて詳細説明する。図４に本発明の携帯式太陽エネルギー電気供給システムによる一応用構成実施例（１）を示す。
【００２５】
利用者は本発明による太陽エネルギー電気供給システムを情報処理装置３１に接続することを仮定し、該情報処理装置３１の稼働電源は電気供給システム１０より提供するため、電気供給システム１０の働きは、ソーラーパネル２０は太陽エネルギーを集めて、太陽エネルギー電気に変換した上、太陽エネルギー入力コネクタ１１１に伝送し、電気供給システム１０により当該太陽エネルギー電気を直流電気エネルギーに変換して、ユニーバーサールシリアルポート出力インターフェース１２１を介して、該直流電気エネルギーを出力する。情報処理装置３１の接続ポートをユニーバーサールシリアルポート出力インターフェース１２１に接続し、電気供給システム１０から情報処理装置３１に電気を出力し、情報処理装置３１の稼働に備える。そのうち、該電気供給システム１０の入力コネクタ１１（太陽エネルギー入力コネクタ１１１と直流電気エネルギー入力コネクタ１１２を含める）は、磁気インターフェースであり、異性吸着の原理に基により、ソーラーパネル２０の電気コネクタを一体化に吸着して充電できるため、従来技術の挿抜式コネクタが時間経過による破損を避けられる。
【００２６】
さらに、本発明のソーラーパネル２０上にクリップ又は粘着部材を設けて、ソーラーパネル２０を様々な場所（利用者の衣服又はその他装置（車両など））に取り付けて、太陽エネルギーを取り入れることができる。電気供給システム１０上に手動加熱装置（ハンドダイモ又は往復操作による摩擦熱）を設けて、曇り又は太陽エネルギー不足のとき、利用者は手動方式による充電ができる。
【００２７】
また、ソーラーパネル２０表面に等間隔を置いた若干個の突起粒子を設け、突起粒子表面の円弧状をもって、太陽光束を集めて（凸面レンズ集光原理）、充電速度を向上する。
【００２８】
このほか、本発明は一種の太陽熱エネルギーを電気エネルギーに変換する装置のため、熱エネルギーが放出すると、充電効率も低下しかねない。このため、本発明によるソーラーパネル２０は熱放出を遅らせるために、上部だけを残して、外部に発泡スチレンなど高熱吸収、低熱放出部材を周りに覆うか、又はソーラーパネル２０を二酸化炭素雰囲気の密閉空間に取付けて二酸化炭素の温室効果（熱吸収が高く、熱排出が低い）を利用することにより、熱放出を軽減できる。
【００２９】
図５に、本発明による携帯式太陽エネルギー電気供給システム第１応用構成実施例（２）図を示す。
【００３０】
もう一つの実施例において、利用者は本発明による太陽エネルギー電気供給システムを電器設備３２に接続することを仮定し、電器設備３２の稼働電源は電気供給システム１０から供給するように切り換える。このときに、電気供給システム１０内部の電力は電器設備３２の稼働に間に合わないとき、電気供給システム１０は外部の直流電気エネルギーを直流電気エネルギー入力インターフェース１１２に伝送し、直流電気エネルギー出力インターフェース１２２を介して、直流電気エネルギーを出力（同時に電気供給システム１０への充電を行う。）する。電器設備３２のコネクタを直流電気エネルギー出力インターフェース１２２に接続した後、電気供給システム１０から電器設備３２に電気を出力し、電器設備３２の稼働に備える。
【００３１】
前記した電気格納庫（Ｐｏｗｅｒ  Ｂａｎｋ）概念に基づいた構成のほか、その高度化として、本発明の携帯式太陽エネルギー電気供給システムを情報処理装置３１に直接取り付けることができる。図６に本発明による携帯式太陽エネルギー電気供給システム第２応用構成実施例（１）を示す。この実施例において、情報処理装置３１の表面にソーラーパネル２０を取り付けて太陽光エネルギーを取り入れる。電気供給システム１０は同じく情報処理装置３１の内部に直流電気エネルギーＤＣ（稼働電源）を供給できるほか、余分な直流電気エネルギーＤＣを電気供給システム１０に格納できる。このとき、電気供給システム１０は情報処理装置３１の内蔵充電池に取り替わり、機能機構３１１の必要な稼働電源は、電気供給システム１０より供給する。さらに、情報処理装置３１各機能を正常に稼働させるため、前記した応用構成において、携帯式情報処理装置又はその他電器設備（携帯電話機、携帯端末機（ＰＤＡ）、マルチメディアプレイヤ（ＰＭＰ）、ノートパソコン、ハンドヘルドゲーム装置及び関連の携帯式装置など。）のいずれに運用できる。
【００３２】
前記した応用構成の実施例のほか、本発明精神の原則に基づいて、図7に本発明による携帯式太陽エネルギー電気供給システムの第２応用構成実施例（２）を示す。
【００３３】
本発明による携帯式太陽エネルギー電気供給システムを衣服（携帯式装置）４０と組み合わせることにより、良い保温効果が得られる。衣服４０内部の加熱構造４１の電源は電気供給システム１０より提供し、衣服４０表面にソーラーパネル２０を設け、ソーラーエネルギーを集めて、太陽エネルギー電気に変換した上、電気供給システム１０に伝送して直流電気エネルギーＤＣに変換する。このとき、直流電気エネルギーＤＣは加熱構造４１に必要な稼働電源を供給できるほか、電気供給システム１０に充電することができる。この場合、電気供給システム１０に出力単元を設け、利用者の携帯式装置は稼働電源が必要なときは、電気供給システム１０に接続して直流電気エネルギーＤＣを提供できる。使用便利のほか、衣服４０に保温効果を提供できる。なお、この種の構成による携帯式装置３０は、ジャケット、衣服、ズボン、チョッキ、ベスト及びその関連の携帯式装置などであっても良い。
【００３４】
本発明は前記の好ましい実施例でもって説明したが、これらの説明は本発明になんらの制限を加わるものではない。この種の技術を熟知する者は、本発明の精神と範囲を逸脱しない程度による変更と修飾によって実施可能である。よって、本発明の特許請求範囲は本発明の請求書に記載する特許請求範囲によるものとする。
【図面の簡単な説明】
【００３５】
【図１】本発明による携帯式太陽エネルギー電気供給システムの立体概略図である。
【図２】本発明による携帯式太陽エネルギー電気供給システム電気回路の概略図である。
【図３Ａ】本発明による携帯式太陽エネルギー電気供給システム入力単元の概略図である。
【図３Ｂ】本発明による携帯式太陽エネルギー電気供給システム出力単元の概略図である。
【図３Ｃ】本発明による携帯式太陽エネルギー電気供給システム制御ブロックの概略図である。
【図４】本発明による携帯式太陽エネルギー電気供給システム第１応用構成実施例（１）図である。
【図５】本発明による携帯式太陽エネルギー電気供給システム第１応用構成実施例（２）図である。
【図６】本発明による携帯式太陽エネルギー電気供給システム第２応用構成実施例（１）図である。
【図７】本発明による携帯式太陽エネルギー電気供給システム第２応用構成実施例（２）図である。
【符号の説明】
【００３６】
１０    電気供給システム
１１    入力単元
１２    出力単元
１３    表示単元
１４    制御ブロック
１５    格納単元
２０    ソーラーパネル
３０    携帯式装置
３１    情報処理システム
３２    電器設備
４０    衣服
４１    加熱構造
１１１  太陽エネルギー入力インターフェース
１１２  直流電気エネルギー入力インターフェース
１２１  ユニーバーサールシリアルポート出力インターフェース
１２２  直流電気エネルギー出力インターフェース
１４１  充電制御単元
１４２  過放電制御単元
１４３  変圧単元
３１１  機能機構
ＤＣ    直流電気エネルギー
【図１】
2009523318.tif 000003
【図２】
2009523318.tif 000004
【図３Ａ】
2009523318.tif 000005
【図３Ｂ】
2009523318.tif 000006
【図３Ｃ】
2009523318.tif 000007
【図４】
2009523318.tif 000008
【図５】
2009523318.tif 000009
【図６】
2009523318.tif 000010
【図７】
2009523318.tif 000011
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
携帯式太陽エネルギー電気供給システムは、太陽エネルギーを取込み、直流電気エネルギーに変換し、
入力単元は、可とう性ソーラーパネルに接続し、該太陽エネルギーを取り込み、
制御ブロックは、該入力単元に接続し、該太陽エネルギー電気を該直流電気エネルギーに変換して、該直流電気エネルギーを特定値に調節し、
格納単元は、該制御ブロックに接続し、該直流電気エネルギーを格納し、
表示単元は、太陽エネルギー電気供給システムの稼働状態を表示し、
出力単元は、該制御ブロックに接続し、該出力単元より該直流電気エネルギーを携帯式装置に出力し、
該制御ブロックはさらに、
充電制御単元は、該入力単元に接続し、該直流電気エネルギーの該格納単元に対する充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力することを特徴とする一種の携帯式太陽エネルギー電気供給システム。
【請求項２】
該出力単元はさらに一種以上の出力単元を含め、該直流電気エネルギーを出力することを特徴とする請求項１記載の携帯式太陽エネルギー電気供給システム。
【請求項３】
該入力単元はさらに直流電気エネルギー入力インターフェースを含め、外部の直流電気エネルギーを取り込むことを特徴とする請求項１記載の携帯式太陽エネルギー電気供給システム。
【請求項４】
該電気供給システムに表示単元を設け、該複合電気供給システムの稼働状態を表示することを特徴とする請求項１記載の携帯式太陽エネルギー電気供給システム。
【請求項５】
該格納単元はさらに充電池を備え、該直流電気エネルギーを格納することを特徴とする請求項１記載の携帯式太陽エネルギー電気供給システム。
【請求項６】
少なくとも一種の機能機構は、該携帯式情報処理装置の各種機能を形成し、
携帯式太陽エネルギー電気供給システムは、太陽エネルギーを取込み、直流電気エネルギーに変換し、該太陽エネルギー電気供給システムはさらに、
少なくとも一組のソーラーパネルを含め、該ソーラーパネルは可とう性ソーラーパネルであり、該太陽エネルギーを取込み、太陽エネルギー電気に変換し、
電気供給システムは、さらに、
入力単元は、該ソーラーパネルに接続し、該太陽エネルギー電気を伝送し、
制御ブロックは、該入力単元に接続し、該太陽エネルギー電気を該直流電気エネルギーに変換して、該直流電気エネルギーを特定値に調節し、
格納単元は、該制御ブロックに接続し、該直流電気エネルギーを格納して、該直流電気エネルギーを該機能機構に伝送し、
表示単元は、太陽エネルギー電気供給システムの稼働状態を表示し、
そのうち、該制御ブロックはさらに、
充電制御単元は、該入力単元に接続し、該格納単元への充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力することを特徴とする一種の携帯式太陽エネルギー電気供給システムによる携帯式情報処理装置。
【請求項７】
該電気供給システムはさらに出力単元を含め、該出力単元は該制御ブロックに接続し、該直流電気エネルギーを該携帯式情報処理装置に伝送することを特徴とする請求項６記載の携帯式太陽エネルギー電気供給システムの携帯式情報処理装置。
【請求項８】
該出力単元はさらに電気伝送機能のデータ伝送インターフェースを含めることを特徴とする請求項７記載の携帯式太陽エネルギー電気供給システムの携帯式情報処理装置。
【請求項９】
該格納単元はさらに充電池を有し、該直流電気エネルギーを格納することを特徴とする請求項６記載の携帯式太陽エネルギー電気供給システムの携帯式情報処理装置。
【請求項１０】
該携帯式情報処理装置は携帯電話機、携帯端末機（ＰＤＡ）、マルチメディアプレイヤ（ＰＭＰ）、ノートパソコン、ハンドヘルドゲーム装置のいずれであることを特徴とする請求項６記載の携帯式太陽エネルギー電気供給システムの携帯式情報処理装置。
【請求項１１】
加熱機能は、熱源を形成し該携帯式装置を所定の温度に維持し、
太陽エネルギー電気供給システムは、太陽光源を取込み、直流電気エネルギーに変換し、該太陽エネルギー電気供給システムはさらに、
少なくとも一組のソーラーパネルを含め、該ソーラーパネルは可とう性ソーラーパネルであり、該太陽エネルギーを取込み、太陽エネルギー電気に変換し、
電気供給システムは、さらに、
入力単元は、該ソーラーパネルに接続し、該太陽エネルギー電気を伝送し、
制御ブロックは、該入力単元に接続し、該太陽エネルギー電気を該直流電気エネルギーに変換して、該直流電気エネルギーを特定値に調節し、
表示単元は、太陽エネルギー電気供給システムの稼働状態を表示し、
格納単元は、該制御ブロックに接続し、該直流電気エネルギーを格納して、該直流電気エネルギーを該加熱機構に伝送し、
そのうち、該制御ブロックはさらに、
充電制御単元は、該入力単元に接続し、該格納単元への充電を制御し、
過充電制御単元は、該格納単元に接続し、該直流電気エネルギーが所定の安全値を下回るときに、該格納単元の放電を中止し、
変圧単元は、該過充電制御単元に接続し、該直流電気エネルギーを該所定値に調節して、該出力単元に出力することを特徴とする一種の太陽エネルギー電気供給システムの携帯式装置。
【請求項１２】
該電気供給システムはさらに出力単元を含め、該出力単元は該制御ブロックに接続し、該直流電気エネルギーを該携帯式情報処理装置に伝送することを特徴とする請求項１１記載の携帯式太陽エネルギー電気供給システムの携帯式装置。
【請求項１３】
該出力単元はさらに電気伝送機能のデータ伝送インターフェースを含めることを特徴とする請求項１１記載の携帯式太陽エネルギー電気供給システムの携帯式装置。
【請求項１４】
該格納単元はさらに充電池を備え、該電源を格納することを特徴とする請求項１１記載の携帯式太陽エネルギー電気供給システムの携帯式装置。
【請求項１５】
該携帯式装置はジャケット、衣服、ズボン、チョッキ、ベストのいずれであることを特徴とする請求項１１記載の携帯式太陽エネルギー電気供給システムの携帯式装置。
【手続補正２】
【補正対象書類名】明細書
【補正対象項目名】全文
【補正方法】変更
【補正の内容】
【書類名】明細書
【発明の名称】携帯式太陽エネルギー電気供給システムとその構成
【技術分野】
【０００１】
本発明は一種の電気供給システム、特に一種の太陽エネルギーを取込み電気に変換し太陽エネルギー電気供給システムとして、各種の携帯式情報処理装置又は各種携帯製品への応用に係わるものである。
【背景技術】
【０００２】
科学が絶えずに進歩したハイテクの世界では、各種の新しい科学技術製品が人類生活により便利をもたらす。しかしながら、資源を絶えずに取り出す中で、各種エネルギーの消費を加速化している。各種の従来資源（石油、石炭）の枯渇、エネルギー不足と相まって、環境汚染もますますひどくなってくる。斬新なエネルギー生成と環境保護をかねた課題は、人類の一致した追求目標である。
【０００３】
太陽エネルギーは前記した要求に応えられる。太陽エネルギーは自然の電磁波であるため、化学的汚染（二酸化炭素、一酸化炭素、二酸化硫黄、窒素酸化物とじん粒子など）が起きない。さらに、放射性がなく、放射性物質も発生しない。そして、太陽エネルギーもう一つの特長は熱公害（Ｔｈｅｒｍａｌ  Ｐｏｌｌｕｔｉｏｎ）が起きない、かつ、枯渇することなく常に取得できる。
【０００４】
いままでの太陽エネルギー応用の発展を見ますと、放射の量が薄く、収集使用が難しい課題を残されている。しかし、科学技術が絶えずに進歩することによって、現在は太陽集熱器（Ｃollector） （すなわち、ソーラーパネル）によって克服できた。一方、太陽エネルギーの間欠性（すなわち、昼夜晴陰によるムラ）の課題について、蓄熱装置（Ｔｈｅｒｍａｌ  Ｅｎｅｒｇｙ  Ｓｔｏｒａｇｅ）（すなわち、電池による蓄電機構）で克服されている。このため、現在の太陽エネルギー応用技術は成熟しつつあり、かつその応用範囲が極めて広い。
【発明の開示】
【発明が解決しようとする課題】
【０００５】
このことから、前記した従来の太陽エネルギー電気供給システムの構造と使用面について、不便と欠陥があり、改善すべきで切る。太陽エネルギー電気供給システムについて、多くの業者はその課題を解決すべく、様々な努力したにもかかわらず、いまだに使い勝手の設計が見つかりません。また、汎用製品も前記課題を適切に解決するものがありません。よって、関連業者が解決の急務となっていた。一種の斬新構造による太陽エネルギー電気供給システムを開発することが、業者の改善目標である。
【０００６】
前記の太陽エネルギー電気供給システムの欠点について、本発明人はこの分野の長年にわたる製品設計、製造経験と専門知識を学理運用と併せて、既存の太陽エネルギー電気供給システムを改善できる、一種の太陽エネルギー電気供給システムとその応用構成をより実用的にする研究と設計を取りかかった。開発と設計を繰り返す共に、試作サンプルと改善を実施した結果、実用価値を有する本発明を思案しました。
【問題を解決するための手段】
【０００７】
公知技術による太陽エネルギーシステムの携帯不便欠点を改善し、多種の携帯装置に接続でき、携帯製品に電気をサポートできる。該電気供給システムは主に入力単元、制御ブロック及び格納単元より構成する。該入力単元は太陽エネルギーを取込むとき、内蔵の制御ブロックにより、太陽エネルギーを格納単元に格納して置き、利用者は携帯式情報処理装置又はその他携帯式装置を使用するときに、該電気供給システムから作業の必要電気を提供し、前記装置（製品）の稼働時間を限りなく延長することを図る、一種の斬新構造による太陽エネルギー電気供給システムとその応用構成を提供することを本発明の主な目的とする。
【０００８】
直流電源入力端及び各直流電気エネルギーＤＣ出力インターフェースを設けることによって、太陽エネルギーを直流電気エネルギーＤＣと交代に使用でき、携帯式装置使用の利便性の向上を図る、一種の携帯式太陽エネルギー電気供給システムとその構成を提供することを本考案次の目的とする。
【０００９】
本発明の目的と技術解決は以下の手段による。本発明による携帯式太陽エネルギー電気供給システムは、太陽エネルギーを受け入れて、直流電気エネルギーを特定値に変換する。主に、入力単元は、可とう性ソーラーパネルに接続し、該太陽エネルギーを取込む。制御ブロックは該入力単元に接続し、該太陽エネルギーを該直流電気エネルギーに変換し、該直流電気エネルギーを所定値に調節する。格納単元を該制御ブロックに接続して、該直流電気エネルギーを格納する。出力単元は該制御ブロックに接続して、該直流電気エネルギーを携帯式装置に出力する。該制御ブロックはさらに、充電制御単元は、該入力単元に接続し、該直流電気エネルギーから該格納単元への充電を制御する。過放電制御単元は、該格納単元に接続し、該過放電制御単元は該直流電気エネルギーが所定の安全値を下回るときに、該格納単元の放電を中止させる。変圧単元は、該過放電制御単元に接続し、該直流電気エネルギーを所定値に調節した後、該出力単元に出力する。
本発明の目的と技術解決はさらに以下の手段を有する。
【００１０】
前記の携帯式太陽エネルギー電気供給システムの出力単元はさらに、少なくとも該直流電気エネルギーを出力するための出力コネクタを含める。
【００１１】
前記の携帯式太陽エネルギー電気供給システムの入力単元はさらに、外部の直流電気エネルギーを取り込むための入力コネクタを含める。
【００１２】
前記の携帯式太陽エネルギー電気供給システムは、さらに、表示単元を含め、該太陽エネルギー電気供給システムの稼働状態を表示する。
【００１３】
前記の太陽エネルギー電気供給システムの該格納単元は充電電池であり、該電池は該直流電気エネルギーを格納する。
【００１４】
そのほか、本発明の目的と技術解決はさらに以下の手段を有する。本発明による携帯式太陽エネルギー電気供給システムの携帯式情報処理装置は、少なくとも機能機構を有し、携帯式情報処理装置の各種機能を制御する。太陽エネルギー電気供給システムは、太陽エネルギーを取込み、直流電気エネルギーに変換する。該太陽エネルギー電気供給システムはさらに、ソーラーパネルを含め、該ソーラーパネルは該太陽エネルギーを取込み太陽電気エネルギーに変換する可とう性ソーラーパネルである。電気供給システムさらに入力単元を含め、該ソーラーパネルに接続し、該太陽エネルギーを伝送する。制御ブロックは、入力単元に接続し、該太陽電気エネルギーを直流電気エネルギーに変換し、該直流電気エネルギーを所定値に調節する。格納単元は、該制御ブロックに接続し、該直流電気エネルギーを格納した後、該機能機構に伝送する。該制御ブロックはさらに、充電制御単元は、該入力単元に接続し、該直流電気エネルギーから該格納単元への充電を制御する。過放電制御単元は、該格納単元に接続し、該過放電制御単元は該直流電気エネルギーが所定の安全値を下回るときに、該格納単元の放電を中止させる。変圧単元は、該過放電制御単元に接続し、該直流電気エネルギーを所定値に調節した後、該出力単元に出力する。
【００１５】
本発明の目的と技術解決はさらに以下の手段を有する。
前記の携帯式太陽エネルギー電気供給システムの携帯式情報処理装置において、該電気供給システムはさらに出力単元を有し、該出力単元は該制御ブロックに接続し、該直流電気エネルギーを該携帯式情報処理装置に出力する。
【００１６】
前記の太陽エネルギー電気供給システムの携帯式情報処理装置による出力単元は、電気伝送機能をかねたデータ伝送インターフェースである。
【００１７】
前記の太陽エネルギー電気供給システムによる携帯式情報処理装置の格納単元は充電電池であり、該電池は該直流電気エネルギーの格納を提供する。
【００１８】
前記の携帯式太陽エネルギー電気供給システムによる携帯式情報処理装置は、携帯電話機、携帯端末機、マルチメディアプレイヤ、ノートパソコン、ハンドヘルドゲーム装置及び関連の携帯式装置であっても良い。
【００１９】
そのほか、本発明の目的と技術解決はさらに以下の手段を有する。本発明による携帯式太陽エネルギー電気供給システムの携帯式装置は、加熱機能を含め、該加熱機能は熱源を形成し、該携帯式装置を所定の温度に維持する。太陽エネルギー電気供給システムは、太陽エネルギーを取込み、直流電気エネルギーに変換する。該太陽エネルギー電気供給システムはさらに、少なくとも一組のソーラーパネルを含め、該ソーラーパネルは該太陽エネルギーを取込む太陽電気エネルギーに変換する可とう性ソーラーパネルである。電気供給システムは、さらに入力単元を含め、該入力単元は該ソーラーパネルに接続し、該太陽電気エネルギーを伝送する。制御ブロックは、入力単元に接続し、該太陽電気エネルギーを直流電気エネルギーに変換し、該直流電気エネルギーを所定値に調節する。格納単元は、該制御ブロックに接続し、該直流電気エネルギーを格納した後、該加熱機能機構に伝送する。該制御ブロックはさらに、充電制御単元は、該入力単元に接続し、該直流電気エネルギーから該格納単元への充電を制御する。過放電制御単元は、該格納単元に接続し、該過放電制御単元は該直流電気エネルギーが所定の安全値を下回るときに、該格納単元の放電を中止させる。変圧単元は、該過放電制御単元に接続し、該直流電気エネルギーを所定値に調節した後、該出力単元に出力する。
【００２０】
本発明の目的と技術解決はさらに以下の手段を有する。
前記の該電気供給システムはさらに出力単元を含め、該出力単元は該制御ブロックに接続し、該出力単元は該直流電気エネルギーを該携帯式情報処理装置に伝送する。
【００２１】
前記の太陽エネルギー電気供給システムによる携帯式情報処理装置の出力単元は、電気伝送機能をかねたデータ伝送インターフェースである。
【００２２】
前記の太陽エネルギー電気供給システムによる携帯式情報処理装置の格納単元は充電電池であり、該電池は該直流電気エネルギーの格納を提供する。
【００２３】
前記の携帯式太陽エネルギー電気供給システムによる携帯装置は、ジャケット、衣服、ズボン、チョッキ、ベスト又は関連製品のいずれである。
【００２４】
一種の太陽エネルギー電気供給システムとその応用構成であって、該電気供給システムは主に入力単元、制御ブロック及び格納単元より構成する。該入力単元は太陽エネルギーを取り込み、制御ブロックより該太陽エネルギーを格納単元に格納し、利用者は携帯式情報処理装置又はその他携帯式装置を使用するときは、該電気供給システムより電気を提供し、前記装置（製品）の稼働時間を無限に延長できる。
【発明の効果】
【００２５】
前記の技術手段により、本発明による携帯式太陽エネルギー電気供給システムとその構成は、少なくとも以下の長所を有する。
【００２６】
（イ）公知技術による太陽エネルギーシステム携帯不便の欠点を改善し、多種の携帯装置と接続でき、携帯製品の電気をサポートできる。該電気供給システムは主に入力単元、制御ブロック及び格納単元より構成する。該入力単元は太陽エネルギーを取込み、内蔵の制御ブロックにより、太陽エネルギーを格納単元に格納して置き、利用者は携帯式情報処理装置又はその他携帯式装置を使用するとき、該電気供給システムより作業の必要電気を提供し、前記装置（製品）の稼働時間を無限に延長することができする。
【００２７】
（ロ）直流電源入力端及び各直流電気エネルギーＤＣの出力コネクタを設けることによって、太陽エネルギーと直流電気エネルギーとを交代に使用し、携帯式装置使用の利便性を向上できる。
【００２８】
前記の説明から明らかに、本発明による特殊構成の太陽エネルギー電気供給システムとその応用構成は、前記種々の長所と実用価値を有するほか、同種製品に類似構成の設計も開示又は使用されていない。製品構成又は機能面とも、大きく改善されているのみならず、技術面も大幅な進歩から、使い勝手と実用効果を形成し、既存の太陽エネルギー電気供給システムに比べて多くの効果が追加され、実用により適した、斬新、進歩、実用的の設計である。
【００２９】
前記の説明は、本発明による技術手段の概説にすぎない。本発明による技術手段のさらなる理解を図るため、明細書の内容に従って、実施することができる。さらに、本発明の前記及びその他目的、特徴と長所のさらなる理解を図るため、以下にて、好ましい実施例を付図と併せて、以下にて、詳細を説明する。
【発明を実施するための最良の形態】
【００３０】
［実施例１］
本発明による携帯式太陽エネルギー電気供給システムは、該太陽エネルギー電気供給システム応用の各種構成を含める。図１に本発明による携帯式太陽エネルギー電気供給システムの立体概略図を示す。
【００３１】
本発明の携帯式太陽エネルギー電気供給システムによる電気供給システム１０は、設計者の目的により、立体形に設計しても良い。外部に太陽エネルギー入力コネクタ１１１と直流電気エネルギー入力コネクタ１１２をそれぞれ設ける。前記二つの入力コネクタは太陽エネルギー又は外部の直流電気エネルギーＤＣを取り入れてシステムの使用に備える。電気供給システム１０外部にユニーバーサールシリアルポート出力インターフェース１２１と直流電気エネルギー出力インターフェース１２２を設け、前記二つの出力インターフェースは、直流電気エネルギーＤＣを電気供給システム１０外部に伝送する。表示単元１３は電気供給システム１０の稼働状態（充電、電気供給、又は電力低下などの状態）を表示する。
【００３２】
引き続きに、本発明による電気回路構成の詳細を説明する。図２に本発明の携帯式太陽エネルギー電気供給システムによる電気回路概略図を示す。
【００３３】
本発明の携帯式太陽エネルギー電気供給システムによる電気供給システム１０は入力単元１１、出力単元１２、表示単元１３、制御ブロック１４及び格納単元１５を含める。そのうち、入力単元１１は外部にソーラーパネルと接続し、太陽エネルギーを取り入れる。制御ブロック１４は入力単元１１に接続し、該太陽エネルギーを直流電気エネルギーＤＣに変換し、該直流電気エネルギーを所定値に調節（電圧調整）した上、格納単元１５への充電を行う。このため、該格納単元１５は充電池により、該直流電気エネルギーＤＣを格納して置く、利用者は電気を使用のとき、直流電気エネルギーＤＣをシステムに伝送する。表示単元１３は制御ブロック１４に接続し、電気供給システム１０の稼働状態（充電、電気供給、又は電力低下などの状態）を表示する。出力単元１２は、直流電気エネルギーＤＣを電気供給システム１０外部に出力する。
【００３４】
図３Ａに本発明の携帯式太陽エネルギー電気供給システムによる入力単元の概略図を示す。
【００３５】
本発明による電気供給システム１０の入力単元１１はさらに、太陽エネルギー入力コネクタ１１１と直流電源出力コネクタ１１２を含め、太陽エネルギー入力コネクタ１１１はソーラーパネル２０に接続し該ソーラーパネル２０は可とう性ソーラーパネルであり、該可とう性ソーラーパネルは、一定の弾性のほか、軽小短薄、接続簡単の特長を有し、携帯式システムの需要を満足できる。一方、直流電気エネルギー入力コネクタ１１２は、外部の直流電気エネルギーＤＣに接続し、システムの使用に提供するか、又は電気供給システム１０に充電することができる。
【００３６】
図３Ｂに本発明の携帯式太陽エネルギー電気供給システムによる出力単元の概略図を示す。
【００３７】
本発明による電気供給システム１０の出力単元１２に、電気伝送機能を有するデータ伝送インターフェースを設けても良い。該インターフェースは各種の接続インターフェース（ユニーバーサールシリアルバス（Ｕｎｅｒｖｅｒｓａｌ  Ｓｅｒｉａｌ  Ｂｕｓ，  ＵＳＢ）インターフェース、ファイヤーワイヤー（Ｆｉｒｅｗｉｒｅ）インターフェースなど）を設けて、各種の携帯式装置３０に接続する。本実施例において、ユニーバーサールシリアルポート出力インターフェース１２１と直流出力インターフェース１２２より実施する。そのうち、シリアルポート出力インターフェース１２１は情報処理システム３１に接続し、直流電気エネルギー出力インターフェース１２２は一般の電源コネクタを設け、汎用の携帯式電器装置３２に接続する。
【００３８】
図３Ｃに本発明の携帯式太陽エネルギー電気供給システムによる制御ブロックの概略図を示す。
【００３９】
該制御ブロック１４に充電制御単元１４１（Ｃｈａｒｇｅ  Ｃｏｎｔｒｏｌｌｅｒ）、過放電制御単元１４２（Ｏｖｅｒ  ｄｉｓｃｈａｒｇｅ  Ｃｏｎｔｒｏｌｌｅｒ）及び変圧単元１４３ （ＤＣ-ＤＣ  ｃｏｎｖｅｒｔｅｒ）を設ける。そのうち、該充電制御単元１４１は直流電気エネルギーＤＣを制御し格納単元１５への充電を行う。過放電制御単元１４２は直流電気エネルギーＤＣが所定の安全値を下回るとき、格納単元１５の放電を中止し、格納単元１５を保護する。変圧単元１４３は直流電気エネルギーを所定値に調節して出力し、電圧調整効果を形成する。制御ブロック１４はさらに、フィルタ装置を設け、サージ波を吸収して、該格納単元１５を電源切換えからのサージ波による破損を防止する。
【００４０】
続いて、本発明による応用構成の一実施例に基づいて詳細説明する。図４に本発明の携帯式太陽エネルギー電気供給システムによる一応用構成実施例図（１）を示す。
【００４１】
利用者は本発明による太陽エネルギー電気供給システムを情報処理装置３１に接続することを仮定し、該情報処理装置３１の稼働電源は電気供給システム１０より提供するため、電気供給システム１０の働きは、ソーラーパネル２０は太陽エネルギーを集めて、太陽エネルギー電気に変換した上、太陽エネルギー入力コネクタ１１１に伝送し、電気供給システム１０により当該太陽エネルギー電気を直流電気エネルギーに変換して、ユニーバーサールシリアルポート出力インターフェース１２１を介して、該直流電気エネルギーを出力する。情報処理装置３１の接続ポートをユニーバーサールシリアルポート出力インターフェース１２１に接続し、電気供給システム１０から情報処理装置３１に電気を出力し、情報処理装置３１の稼働に備える。そのうち、該電気供給システム１０の入力コネクタ１１（太陽エネルギー入力コネクタ１１１と直流電気エネルギー入力コネクタ１１２を含める）は、磁気インターフェースであり、異性吸着の原理に基により、ソーラーパネル２０の電気コネクタを一体化に吸着して充電できるため、従来技術の挿抜式コネクタが時間経過による破損を避けられる。
【００４２】
さらに、本発明のソーラーパネル２０上にクリップ又は粘着部材を設けて、ソーラーパネル２０を様々な場所（利用者の衣服又はその他装置（車両など））に取り付けて、太陽エネルギーを取り入れることができる。電気供給システム１０上に手動加熱装置（ハンドダイモ又は往復操作による摩擦熱）を設けて、曇り又は太陽エネルギー不足のとき、利用者は手動方式による充電ができる。
【００４３】
また、ソーラーパネル２０表面に等間隔を置いた若干個の突起粒子を設け、突起粒子表面の円弧状をもって、太陽光束を集めて（凸面レンズ集光原理）、充電速度を向上する。
【００４４】
このほか、本発明は一種の太陽熱エネルギーを電気エネルギーに変換する装置のため、熱エネルギーが放出すると、充電効率も低下しかねない。このため、本発明によるソーラーパネル２０は熱放出を遅らせるために、上部だけを残して、外部に発泡スチレンなど高熱吸収、低熱放出部材を周りに覆うか、又はソーラーパネル２０を二酸化炭素雰囲気の密閉空間に取付けて二酸化炭素の温室効果（熱吸収が高く、熱排出が低い）を利用することにより、熱放出を軽減できる。
【００４５】
図５に、本発明による携帯式太陽エネルギー電気供給システム第１応用構成実施例図（２）を示す。
【００４６】
［実施例２］
もう一つの実施例において、利用者は本発明による太陽エネルギー電気供給システムを電器設備３２に接続することを仮定し、電器設備３２の稼働電源は電気供給システム１０から供給するように切り換える。このときに、電気供給システム１０内部の電力は電器設備３２の稼働に間に合わないとき、電気供給システム１０は外部の直流電気エネルギーを直流電気エネルギー入力インターフェース１１２に伝送し、直流電気エネルギー出力インターフェース１２２を介して、直流電気エネルギーを出力（同時に電気供給システム１０への充電を行う。）する。電器設備３２のコネクタを直流電気エネルギー出力インターフェース１２２に接続した後、電気供給システム１０から電器設備３２に電気を出力し、電器設備３２の稼働に備える。
【００４７】
前記した電気格納庫（Ｐｏｗｅｒ  Ｂａｎｋ）概念に基づいた構成のほか、その高度化として、本発明の携帯式太陽エネルギー電気供給システムを情報処理装置３１に直接取り付けることができる。図６に本発明による携帯式太陽エネルギー電気供給システム第２応用構成実施例（１）を示す。この実施例において、情報処理装置３１の表面にソーラーパネル２０を取り付けて太陽光エネルギーを取り入れる。電気供給システム１０は同じく情報処理装置３１の内部に直流電気エネルギーＤＣ（稼働電源）を供給できるほか、余分な直流電気エネルギーＤＣを電気供給システム１０に格納できる。このとき、電気供給システム１０は情報処理装置３１の内蔵充電池に取り替わり、機能機構３１１の必要な稼働電源は、電気供給システム１０より供給する。さらに、情報処理装置３１各機能を正常に稼働させるため、前記した応用構成において、携帯式情報処理装置又はその他電器設備（携帯電話機、携帯端末機（ＰＤＡ）、マルチメディアプレイヤ（ＰＭＰ）、ノートパソコン、ハンドヘルドゲーム装置及び関連の携帯式装置など。）のいずれに運用できる。
【００４８】
前記した応用構成の実施例のほか、本発明精神の原則に基づいて、図７に本発明による携帯式太陽エネルギー電気供給システムの第２応用構成実施例図（２）を示す。
【００４９】
本発明による携帯式太陽エネルギー電気供給システムを衣服（携帯式装置）４０と組み合わせることにより、良い保温効果が得られる。衣服４０内部の加熱構造４１の電源は電気供給システム１０より提供し、衣服４０表面にソーラーパネル２０を設け、ソーラーエネルギーを集めて、太陽エネルギー電気に変換した上、電気供給システム１０に伝送して直流電気エネルギーＤＣに変換する。このとき、直流電気エネルギーＤＣは加熱構造４１に必要な稼働電源を供給できるほか、電気供給システム１０に充電することができる。この場合、電気供給システム１０に出力単元を設け、利用者の携帯式装置は稼働電源が必要なときは、電気供給システム１０に接続して直流電気エネルギーＤＣを提供できる。使用便利のほか、衣服４０に保温効果を提供できる。なお、この種の構成による携帯式装置３０は、ジャケット、衣服、ズボン、チョッキ、ベスト及びその関連の携帯式装置などであっても良い。
【００５０】
本発明は前記の好ましい実施例でもって説明したが、これらの説明は本発明になんらの制限を加わるものではない。この種の技術を熟知する者は、本発明の精神と範囲を逸脱しない程度による変更と修飾によって実施可能である。よって、本発明の特許請求範囲は本発明の請求書に記載する特許請求範囲によるものとする。
【図面の簡単な説明】
【００５１】
【図１】本発明による携帯式太陽エネルギー電気供給システムの立体概略図である。
【図２】本発明による携帯式太陽エネルギー電気供給システム電気回路の概略図である。
【図３Ａ】本発明による携帯式太陽エネルギー電気供給システム入力単元の概略図である。
【図３Ｂ】本発明による携帯式太陽エネルギー電気供給システム出力単元の概略図である。
【図３Ｃ】本発明による携帯式太陽エネルギー電気供給システム制御ブロックの概略図である。
【図４】本発明による携帯式太陽エネルギー電気供給システム第１応用構成実施例（１）図である。
【図５】本発明による携帯式太陽エネルギー電気供給システム第１応用構成実施例（２）図である。
【図６】本発明による携帯式太陽エネルギー電気供給システム第２応用構成実施例（１）図である。
【図７】本発明による携帯式太陽エネルギー電気供給システム第２応用構成実施例（２）図である。
【符号の説明】
【００５２】
１０    電気供給システム
１１    入力単元
１２    出力単元
１３    表示単元
１４    制御ブロック
１５    格納単元
２０    ソーラーパネル
３０    携帯式装置
３１    情報処理システム
３２    電器設備
４０    衣服
４１    加熱構造
１１１  太陽エネルギー入力コネクタ
１１２  直流電気エネルギー入力インターフェース
１２１  ユニーバーサールシリアルポート出力インターフェース
１２２  直流電気エネルギー出力インターフェース
１４１  充電制御単元
１４２  過放電制御単元
１４３  変圧単元
３１１  機能機構
ＤＣ    直流電気エネルギー
【国際調査報告】
2009523318.tif 000012
2009523318.tif 000013
2009523318.tif 000014
2009523318.tif 000015